(57)【要約】【課題】マルチ画面の利点を生かし、視聴している番組を中断することなく緊急情報の内容を知ることができ、また緊急情報の内容を容易に判読することを可能とする。更に、緊急情報の定義を視聴者により自由に設定できるようにする。【解決手段】複数の受信手段により受信した放送波のうちの何れかの番組配列情報に特定情報が含まれているかどうかを検出する情報検出手段と、情報検出手段により、複数の受信手段により受信した前記複数の放送波のうちの何れかに特定情報が含まれていることが検出されたことにより特定情報に関連する番組を検出する番組検出手段と、番組検出手段により検出された番組を他の番組に比して大きく表示するように表示形態を切り替える表示形態切替手段とを備え、更に前記特定情報を視聴者が任意に設定するための特定情報設定手段を備える。【選択図】        図１
2004336411.tif 000002
【特許請求の範囲】
【請求項１】
番組の映像情報及び音声情報以外に番組配列情報が多重化された放送波を複数受信する事が可能な複数の受信手段を備え、前記複数の受信手段により受信した前記複数の放送波から任意の大きさの映像情報を生成し、合成して表示を行うことのできる放送受信装置に於いて、
前記複数の受信手段により受信した前記複数の放送波のうちの何れかの番組配列情報に特定情報が含まれているかどうかを検出する情報検出手段と、
前記情報検出手段により、前記複数の受信手段により受信した前記複数の放送波のうちの何れかに特定情報が含まれていることが検出されたことにより、特定情報に関連する番組を検出する番組検出手段と、
前記番組検出手段により検出された番組を、他の番組に比して大きく表示するように表示形態を切り替える表示形態切替手段と
を備えることを特徴とする放送受信装置。
【請求項２】
前記特定情報とは、緊急度を示す情報であることを特徴とする、請求項１に記載の放送受信装置。
【請求項３】
前記特定情報とは、番組の名称や放送日時或いは内容の説明等番組に関する情報であることを特徴とする、請求項１に記載の放送受信装置。
【請求項４】
前記放送受信装置は更に、前記表示形態切替手段により切り替える表示形態を予め設定しておくための表示形態記憶手段を備えることを特徴とする、請求項１乃至請求項３に記載の放送受信装置。
【請求項５】
前記放送受信装置は更に、前記表示形態記憶手段には表示する映像情報数に対応した表示形態に関する情報が複数記憶されており、その中から前記表示形態切替手段により読み出される表示形態に関する情報を視聴者が任意に選択するための表示形態手段を備えることを特徴とする、請求項４に記載の放送受信装置。
【請求項６】
前記放送受信装置は更に、前記特定情報を視聴者が任意に設定するための特定情報設定手段を備えることを特徴とする、請求項１及至請求項５に記載の放送受信装置。
【請求項７】
前記放送受信装置は更に、前記表示形態切替手段により表示形態の切り替えが行われた際に、表示形態の切り替えられていることを通知する通知手段を備えることを特徴とする、請求項１及至請求項６に記載の放送受信装置。
【請求項８】
前記放送受信装置は更に、
前記表示形態切替手段により表示形態が切り替えられる直前の表示形態に関する情報を記憶しておくための表示状態記憶手段と、
前記特定情報に関する表示が完了したことを検出する表示完了検出手段と、
を備え、前記表示形態切替手段は、前記表示完了検出手段により前記特定情報に関する表示が完了したことを検出したことにより、前記表示状態記憶手段に記憶されている表示形態に関する情報に従い表示形態を切り替えることを特徴とする、請求項１及至請求項７に記載の放送受信装置。
【請求項９】
番組の映像情報及び音声情報以外に番組配列情報が多重化された放送波を複数受信する事が可能な複数の受信手段を備え、前記複数の受信手段により受信した前記複数の放送波から任意の大きさの映像情報を生成し、合成して表示を行うことのできる放送受信装置に於いて、
前記複数の受信手段により受信した前記複数の放送波のうちの何れかの番組配列情報に特定情報が含まれているかどうかを検出する情報検出工程と、
前記情報検出工程により、前記複数の受信手段により受信した前記複数の放送波のうちの何れかに特定情報が含まれていることが検出されたことにより、特定情報に関連する番組を検出する番組検出工程と、
前記番組検出工程により検出された番組を、他の番組に比して大きく表示するように表示形態を切り替える表示形態切替工程と
を有することを特徴とする放送受信方式。
【請求項１０】
前記特定情報とは、緊急度を示す情報であることを特徴とする、請求項９に記載の放送受信方式。
【請求項１１】
前記特定情報とは、番組の名称や放送日時或いは内容の説明等番組に関する情報であることを特徴とする、請求項９に記載の放送受信方式。
【請求項１２】
前記放送受信装置は更に、前記表示形態切替工程により切り替える表示形態を予め設定しておくための表示形態記憶手段を備えることを特徴とする、請求項９乃至請求項１１に記載の放送受信方式。
【請求項１３】
前記放送受信装置は更に、前記表示形態記憶手段には表示する映像情報数に対応した表示形態に関する情報が複数記憶されており、その中から前記表示形態切替工程により読み出される表示形態に関する情報を視聴者が任意に選択するための表示形態工程を有することを特徴とする、請求項１２に記載の放送受信方式。
【請求項１４】
前記放送受信装置は更に、前記特定情報を視聴者が任意に設定するための特定情報設定工程を有することを特徴とする、請求項９及至請求項１３に記載の放送受信方式。
【請求項１５】
前記放送受信装置は更に、前記表示形態切替工程により表示形態の切り替えが行われた際に、表示形態の切り替えられていることを通知する通知工程を有することを特徴とする、請求項９及至請求項１４に記載の放送受信方式。
【請求項１６】
前記放送受信装置は更に、前記表示形態切替工程により表示形態が切り替えられる直前の表示形態に関する情報を記憶しておくための表示状態記憶手段を備え、
前記情報検出工程により、前記複数の受信手段により受信した前記複数の放送波のうちの何れかに特定情報が含まれていることが検出されたことにより、それまでの表示形態に関する情報を前記表示状態記憶手段に記憶する表示状態記憶工程と、
前記特定情報に関する表示が完了したことを検出する表示完了検出工程と、
前記表示完了検出工程により前記特定情報に関する表示が完了したことを検出したことにより、前記表示状態記憶手段に記憶されている表示形態に関する情報に従い表示形態を切り替える表示状態復元工程と、
を有することを特徴とする、請求項９及至請求項１５に記載の放送受信方式。
【発明の詳細な説明】
【０００１】
【発明の属する技術分野】
本発明は、放送波に緊急情報等の緊急情報が付加されて放送されるテレビジョン放送等の広域放送サービスに於いて、受信した緊急情報の表示方法に関するものである。
【０００２】
【従来の技術】
近年、テレビジョン放送の方式として、従来のアナログ方式からデジタル方式への検討が開始され、デジタル化という新たな技術革新を契機として、テレビジョン放送が情報通信メディアとして更に高度化し、飛躍的な発展を遂げようとしている。既に国内では、ＰｅｒｆｅｃｔＴＶやＤｉｒｅｃｔＴＶなどのＣＳ（Ｃｏｍｍｕｎｉｃａｔｉｏｎ  Ｓａｔｅｌｌｉｔｅ：通信衛星）を用いた放送や、ＢＳ（Ｂｒｏａｄｃａｓｔｉｎｇ  Ｓａｔｅｌｌｉｔｅ：放送衛星）を用いた放送でデジタル化が実現されている。更に現在、地上波においてもデジタル化の検討が進められており、近い将来、全ての放送波がデジタル方式に変わろうとしている。
【０００３】
デジタルテレビジョン放送のメリットは、アナログ方式では１チャンネル分に相当する周波数帯域で、デジタル方式では３チャンネルの番組を伝送することができ、多チャンネル化が可能となることである。これにより、ニュースやスポーツ、或いはドラマなどを組み合わせたマルチ番組（混合多重編成番組）や、一つのチャンネル内で異なる三つの番組を放送するマルチチャンネル放送など、新たなサービスが実現される。
【０００４】
このようなマルチ番組サービスやマルチチャンネル放送に対応するために、デジタルテレビジョン放送対応のテレビジョン放送受信装置では、複数の映像ソースを一つの表示画面上に表示する、マルチ画面表示が可能なものがある。
【０００５】
更にデジタルテレビジョン放送では、映像や音声の放送に限らず、各種のデータ放送を付加した統合型の放送サービスが可能となる。データ放送を付加したサービスとしては、テレビ番組にデータ情報を付加してマルチメディア的サービスを提供するものと、テレビ番組とは別の独立したサービスを提供するものとに分けられ、主なサービスとしては、視聴者参加型テレビ，ホームショッピング，各種情報サービス，いつでも好きな時に見ることのできる天気予報やニュースなどが挙げられる。
【０００６】
このようなデジタルテレビジョン放送では、例えば地震情報や台風情報のような緊急情報や番組に関する番組の名称や放送日時或いは内容の説明等の情報は、データ放送を用いて番組配列情報として映像・音声情報に多重されて放送される。このような番組配列情報を利用することにより、ＥＰＧ（Ｅｌｅｃｔｒｉｃａｌ  Ｐｒｏｇｒａｍ  Ｇｕｉｄｅ）のような便利な機能を放送受信装置で作成し、提供することが可能となる。
【０００７】
従来、緊急情報を放送受信装置が受信した場合、緊急情報に関する文字情報を表示している映像情報に合成して表示している。そのため、視聴者が緊急情報の放送された放送事業者のものとは別の番組を視聴していた場合、視聴者は緊急情報を知ることができなかった。
【０００８】
このような課題を解決するために、特開平１１−１４６３７７号公報「緊急情報伝達システム」では、放送情報に緊急度を示す属性情報を付加し、放送受信装置では属性情報に基づいて予め定められた手順を行う緊急情報伝達システムについて述べられている。
【０００９】
即ちここでは、付加された属性情報に基づき、緊急度が高い場合には視聴している番組から自動的に緊急番組に切り替えて表示を行うことにより、緊急度が高い番組を最優先で表示するというものである。また、放送受信装置の電源が投入されていない状態で緊急情報を受信した場合、緊急度に応じて、緊急度が高い場合には放送受信装置の電源を自動的に投入して緊急情報を表示し、緊急度が低い場合には緊急情報を一旦放送受信装置内部の記憶装置に記憶し、次回放送受信装置の電源が投入されたときに自動的に記憶装置に記憶されている緊急情報を最優先に表示するという機能についても述べられている。
【００１０】
【発明が解決しようとする課題】
しかしながら上述した従来の緊急情報表示手段では、視聴している番組とは別の緊急番組に自動的に切り替えられた場合、例えばスポーツの得点シーンのような重要な場面を見逃してしまう恐れがある。
【００１１】
また、マルチ画面表示で既に緊急情報の放送された番組と別の番組とを同時に視聴しているようなケースで、緊急情報の放送された番組を補助的に小さく表示している場合、図１４に示すように、文字が小さくなり緊急情報を判読できない恐れがある。
【００１２】
本発明は前記従来の問題点に鑑みてなされたものであり、マルチ画面の利点を生かし、放送受信装置が緊急情報を受信した際に、視聴している番組と緊急情報の放送された番組とを同時に表示することにより、視聴している番組を中断することなく緊急情報の内容を知ることのできる手段を提供するものである。
【００１３】
また本発明では、放送受信装置が緊急情報を受信した際に、緊急情報の放送された番組を他の番組よりも大きく表示することにより、緊急情報の内容を容易に判読することを可能とする手段を提供するものである。
【００１４】
更に本発明では、緊急情報の定義を視聴者により自由に設定できる手段を提供することにより、どうしても視聴したいというような、視聴者にとって重要な番組情報を緊急情報として定義することにより、個々の視聴者に対応した緊急情報表示手段を提供するものである。
【００１５】
【課題を解決するための手段】
上記目的を達成するために、本発明では、番組の映像情報及び音声情報以外に番組配列情報が多重化された放送波を複数受信する事が可能な複数の受信手段を備え、前記複数の受信手段により受信した前記複数の放送波から任意の大きさの映像情報を生成し、合成して表示を行うことのできる放送受信装置に於いて、前記複数の受信手段により受信した前記複数の放送波のうちの何れかの番組配列情報に特定情報が含まれているかどうかを検出する情報検出手段と、前記情報検出手段により、前記複数の受信手段により受信した前記複数の放送波のうちの何れかに特定情報が含まれていることが検出されたことにより、特定情報に関連する番組を検出する番組検出手段と、前記番組検出手段により検出された番組を、他の番組に比して大きく表示するように表示形態を切り替える表示形態切替手段とを備える。
【００１６】
更に前記放送受信装置は、前記特定情報を視聴者が任意に設定するための特定情報設定手段を備える。
【００１７】
【発明の実施の形態】
以下に図面を参照して、本発明の実施の形態を詳細に説明する。
【００１８】
（第１実施例）
図１は、本発明の一実施形態としての放送受信装置の構成を示したブロック図である。本例では、４系統のデジタル放送波を受信し、放送波から得られた情報のうち映像情報に関してはそれぞれの放送波からの映像情報を合成して最大４画面を同時に表示できるものとし、音声情報に関してはそれぞれの放送波からの音声情報のうち１つを選択して出力されるものとする。ここで、入力される４系統のデジタル放送波は、ＣＳ放送やＢＳ放送，或いは地上波デジタル放送のように異なる放送手段によるものが入力されるとしても、同一の放送手段によるものが分配されて入力されるとしても、実施例で示したものと同じ構成を取ることができる。
【００１９】
１０，１１，１２，１３は、受信したデジタル放送波を復調して、デジタルの音声情報や映像情報、データ情報を得るためのデジタル放送処理部で、詳細については後述するが、全て同じ構成を取るものとする。
【００２０】
図２は、デジタル放送処理部１０，１１，１２，１３の一構成例を示すブロック図である。
【００２１】
図２に於いて、１０１は、受信したデジタル放送波を復調して変調処理前のデジタル信号に復元するための復調部である。復調部１０１にて復元されたデジタル信号は、誤り訂正部１０２にてデータの欠損やデータ化けが起きていないかチェックされ、もし何らかのデータ異常が発生していた場合には正しいデータへの修復が行われる。誤り訂正部１０２にてチェックされた信号は、次に多重分離部１０３にて映像、音声及び緊急情報等の緊急情報を含む各種データの放送素材毎に分離される。多重分離部１０３にて分離された各放送素材のうち、音声情報に関しては、音声復号化部１０４にて、ＣＰＵ１４により指定されるチャンネルに関する音声情報を、符号化される前の音声情報に変換して出力する。
【００２２】
映像情報に関しては、映像復号化部１０６にて、ＣＰＵ１４により指定されるチャンネルに関する映像情報が符号化される前の映像情報に変換され、透過的合成処理部１０７にて、ＣＰＵ１４により背景情報記憶部１０８に設定された背景情報と合成処理が行われた後、解像度変換処理部１０９にて表示装置２０の有する表示領域全体に表示するための拡大処理や、後述する映像信号合成処理部１８にて他の映像情報と合成してマルチ画面として表示するための縮小処理が行われる。ここでの解像度変換処理手法としては、公知としての、近傍の４画素から補間する画素を求める直線補間手法や、近傍の１６画素から補間する画素を求めるＣｕｂｉｃ補間手法等が用いられる。
【００２３】
ここで背景情報記憶部１０８は、映像復号化部１０６にて復号化された映像情報の領域と同じ領域の情報量を記憶できるものとし、映像復号化部１０６にて復号化された映像情報と背景情報記憶部１０８に記憶されている背景情報は、透過的合成処理部１０７にて透過的に合成される。即ち、透過的合成処理部１０７には、背景情報記憶部１０８に記憶されている背景情報と映像復号化部１０６にて復号化された映像情報とを透過的に合成する際の透過率（以下、α値とする）がＣＰＵ１４から転送されるものとし、映像復号化部１０６にて復号化された映像情報と背景情報記憶部１０８に記憶されている背景情報とは、このα値に応じて透過的に合成されるものとする。
【００２４】
図３は、透過的合成処理部１０７に設定されるα値と、映像復号化部１０６にて復号される映像情報と背景情報記憶部１０８に記憶されている背景情報とが透過的に合成される透過率との対応の一例を示した図である。例えばα値が“０”の場合は、背景情報記憶部１０８に記憶されている背景情報の不透明度は０％となり映像復号化部１０６にて復号化された映像情報が表示され、α値が“２５５”の場合は、背景情報記憶部１０８に記憶されている背景情報の不透明度は１００％となり背景情報記憶部１０８に記憶されている静止画情報が表示され、α値が“１”から“２５４”までの範囲の場合、映像復号化部１０６にて復号化された映像情報と背景情報記憶部１０８に記憶されている背景情報とが不透明度の比率に応じて合成されて表示されることとなる。
【００２５】
再び図２に戻ると、解像度変換処理部１０９にて処理された映像情報は、一旦解像度変換処理部１０９の有する記憶部に記憶され、後述する同期信号生成部２１により生成される画素クロック信号（ＰＣＬＫ）や水平同期信号（ＨＳＹＮＣ），垂直同期信号（ＶＳＹＮＣ）に同期して出力される。
【００２６】
データ放送として送られてきた各種データ情報に関しては、データ復号化部１０５にて符号化されたデータ情報を符号化される前のデータ情報に変換され、ＣＰＵ１４に対して出力される。
【００２７】
再び図１に戻ると、以上に述べた処理が行われ、デジタル放送処理部１０，１１，１２，１３から出力される各放送素材のうち、音声情報に関しては、音声選択部１５によって、視聴者によりリモートコントローラ（以下、リモコンと呼ぶ）２６を介してメインとして視聴することの指定された映像画面に対応する音声が選択されてデジタル／アナログ変換部（以下、Ｄ／Ａ変換部と呼ぶ）１６に出力され、Ｄ／Ａ変換部１６にてデジタル信号からアナログ信号への変換が行われた後、外部に接続されたスピーカ１７にて可聴音として再生される。
【００２８】
映像情報に関しては、映像信号合成処理部１８にて、ＣＰＵ１４からの文字データ或いはグラフィックコントローラ２２により生成された静止画情報と、デジタル放送処理１０，１１，１２，１３から出力される映像とが、同期信号生成部２１により生成される画素クロック信号（ＰＣＬＫ）や水平同期信号（ＨＳＹＮＣ），垂直同期信号（ＶＳＹＮＣ）に同期して、ＣＰＵ１４により指定される表示位置情報に従い合成されて出力され、Ｄ／Ａ変換部１９にてデジタル信号からアナログ信号への変換が行われた後、放送受信装置の有する表示部、或いは外部に接続された表示装置２０へ出力されて再生される。
【００２９】
同期信号生成部２１は、表示装置２０に表示する為のタイミング信号としての垂直同期信号ＶＳＹＮＣや水平同期信号ＨＳＹＮＣ、及び画素クロックとしてのＰＣＬＫ信号を生成して出力する。
【００３０】
デジタル放送処理部１０，１１，１２，１３から出力される各種データ情報には、緊急情報のように文字データで構成されるものや放送番組に関連する静止画データで構成されるものがあり、静止画データの符号化方式としてはＪＰＥＧ（Ｊｏｉｎｔ  Ｐｈｏｔｏｇｒａｐｈｉｃ  Ｅｘｐｅｒｔｓ  Ｇｒｏｕｐ）やＰＮＧ（Ｐｏｒｔａｂｌｅ  Ｎｅｔｗｏｒｋ  Ｇｒａｐｈｉｃｓ）或いはＭＮＧ（Ｍｕｌｔｉｐｌｅ−ｉｍａｇｅ  Ｎｅｔｗｏｒｋ  Ｇｒａｐｈｉｃｓ）といった圧縮アルゴリズムが用いられ、文字データの符号化方式としては漢字を２バイト、英数字を１バイトで表現し、制御符号でこれらの文字集合を切り換える８単位符号方式が用いられる。各種データ情報に静止画データが含まれる場合、ＣＰＵ１４は静止画データを生成するようグラフィックコントローラ２２に対してコマンドを発行し、グラフィックコントローラ２２ではＣＰＵ１４から発行されるコマンドに従い線の描画や矩形の描画，矩形単位のデータ移動等の処理を行う。
【００３１】
ＣＰＵ１４が各種データ情報として受信した文字データ或いはグラフィックコントローラ２２により生成された静止画データは、デジタル放送処理部１０，１１，１２，１３のいずれかの背景情報記憶部１０８に設定されて各放送波毎に合成されるか、映像信号合成処理部１８に設定され、各デジタル放送処理部１０乃至１３から出力される映像情報が映像信号合成処理部１８にて合成処理された後の映像情報の背景画面として合成される。
【００３２】
Ｉ／Ｏコントローラ２３には、視聴者参加型クイズ番組やテレビショッピング等の番組において視聴者と放送局との双方向通信を実現するためのモデム２４や、ユーザにより番組選局や音量調整等の操作が行われるリモコン２６からの電波を受信する赤外線受光部２５が接続され、これらの機器をＣＰＵ１４からの指示に従い制御を行う。
【００３３】
ＣＰＵ１４は、以上に述べた放送受信装置全体の制御を行うメインのコントローラであり、データ放送として送られる各種データ情報からＥＰＧなどの静止画データを生成する為にグラフィックコントローラ２２に指示を出したり、Ｉ／Ｏコントローラ２３を介して各種入出力装置の制御を行ったり、映像信号合成処理部１８に対して動画／静止画切換え情報の設定を行ったり、デジタル放送処理部１０，１１，１２，１３に対して再生するチャンネル情報の設定を行う。また、２７はＣＰＵ１４の実行するプログラムを格納しているＲＯＭ（Ｒｅａｄ  Ｏｎｌｙ  Ｍｅｍｏｒｙ）であり、２８はワーク領域として使われるＲＡＭ（Ｒａｎｄｏｍ  Ａｃｃｅｓｓ  Ｍｅｍｏｒｙ）である。
【００３４】
以上に説明した構成例により、図１４で示したようなマルチ画面での表示が可能となる。図１４では４系統のデジタル放送波から得られる映像情報を同時に表示しており、そのうち１系統はメインに視聴している画面で、他の系統の画面よりも大きく表示されており、このメインに視聴している画面を親画面、その他の画面を子画面と、以下呼ぶことにする。音声についても、親画面に対応する音声をスピーカ１７から出力するように、ＣＰＵ１４により音声選択部１５に対して設定される。
【００３５】
次に、本発明の特徴であるところの、特定情報の処理に関連する放送受信装置の構成について説明を行う。本例では、番組配列情報に含まれる特定情報として、緊急情報を受信した際の処理について説明を行う。
【００３６】
再び図１に戻ると、２９は、デジタル放送処理部１０，１１，１２，１３から出力されるデータ情報を監視し、特定情報が含まれているかどうかを検出する特定情報検出部である。デジタル放送では地震情報や台風情報のような緊急情報、或いは、番組に関するチャンネル名やタイトル、更に番組の内容や開始時間、終了時間、継続時間等いろいろな情報が、データ放送に含まれる番組配列情報から容易に知ることができる。特定情報情報検出部２９は、デジタル放送処理部１０，１１，１２，１３から出力されるいずれかのデータ情報に緊急情報が含まれることを検出した場合、緊急情報を検出したことを示す信号と共に、どの系列のどの番組で緊急情報が検出されたのかを示す番組情報を、ＣＰＵ１４に対して出力する。
【００３７】
ＣＰＵ１４では、特定情報検出部２９にてデジタル放送処理部１０，１１，１２，１３から出力されるいずれかのデータ情報に緊急情報が含まれることを検出したことにより、所定の処理を行うこととなる。
【００３８】
３０は、特定情報検出部２９にてデジタル放送処理部１０，１１，１２，１３から出力されるいずれかのデータ情報に緊急情報が含まれることを検出したことにより緊急情報を映像情報に付加して表示する際に、緊急情報を付加する映像情報の表示を他の映像情報よりも大きく表示する画面のレイアウト情報を、表示する画面数に応じて予め記憶しておくための表示形態記憶部である。また３１は、特定情報検出部２９にてデジタル放送処理部１０，１１，１２，１３から出力されるいずれかのデータ情報に緊急情報が含まれることを検出し、ＣＰＵ１４が表示形態記憶部３０からマルチ画面のレイアウト情報を読み出し、読み出したレイアウト情報に従い画面構成を変更する際に、それまでの画面レイアウト情報を一時的に記憶するための表示状態記憶部である。
【００３９】
以上の構成に於いて、特定情報検出部２９にてデジタル放送処理部１０，１１，１２，１３から出力されるいずれかのデータ情報に緊急情報が含まれることを検出した場合の、ＣＰＵ１４における処理の流れを、図４のフローチャートに示す。
【００４０】
ＣＰＵ１４が特定情報検出部２９からの緊急情報を検知したことを示す信号を受信すると、まず、特定情報検出部２９から出力される番組情報から現在表示している番組で緊急情報が行われたのかどうかを判断し（Ｓ１０１）、現在表示している番組とは別の番組で緊急情報が行われた場合、一旦その時点での表示状態（画面構成や画面レイアウト、及び表示している番組情報等）を表示状態記憶部３１に記憶し（Ｓ１０４）、次にデジタル放送処理部１０，１１，１２，１３から出力される映像情報が全て表示されているかどうかを判断し（Ｓ１０５）、全て表示されていない場合には映像情報の表示に用いられていないデジタル放送処理部に対し、緊急情報の行われた番組に関する映像情報を出力するようにチャンネルの設定を行う（Ｓ１０６）。Ｓ１０５でデジタル放送処理部１０，１１，１２，１３から出力される映像情報が全て表示されていると判断された場合、親画面として表示している以外の最も優先順位の低いデジタル放送処理部に対し、緊急情報の行われた番組に関する映像情報を出力するようにチャンネルの設定を行う（Ｓ１０７）。ここで、子画面に対する優先順位の設定に関しては特に制約は無い。次に、表示形態記憶部３０から表示を行う画面数に応じたレイアウト情報を読み出し（Ｓ１０８）、読み出したレイアウト情報に従い該当するデジタル放送処理部内の解像度変換処理部１０９及び映像信号合成処理部１８に対して設定を行う（Ｓ１０９）。次に映像信号合成処理部１８に対し、各系統のデジタル放送波から得られる映像情報を合成して表示する際の背景に、緊急情報を受信したことを示す表示を行うように背景情報を設定し（Ｓ１１０）、緊急情報の検出されたデジタル放送処理部内の背景情報記憶部１０８に対し、受信した緊急情報の内容を設定する（Ｓ１１１）。その後、受信した緊急情報の表示が完了したかどうかを判断し（Ｓ１１２）、完了していない場合には再びＳ１１１に戻り、受信した緊急情報の表示を継続する。緊急情報の表示が全て完了した場合には、表示状態記憶部３１に記憶した表示状態を読み出し（Ｓ１１３）、読み出された情報に従い該当するデジタル放送処理部内の解像度変換処理部１０９及び映像信号合成処理部１８に対して設定を行う（Ｓ１１４）。更に、各系統のデジタル放送波から得られる映像情報を合成して表示する際の背景に設定していた、緊急情報を受信したことを示す表示を消去するように背景情報を設定する（Ｓ１１５）。以上の処理により、表示内容を、緊急情報を受信した際の処理を行う前の表示状態に戻すことができ、緊急情報を受信したことによる処理を終了する。
【００４１】
Ｓ１０１で、現在表示している番組で緊急情報が行われたと判断された場合、次に映像信号合成処理部１８に対しマルチ画面での表示を指示しているかどうかを判断し（Ｓ１０２）、マルチ画面での表示が行われている場合、一旦その時点での表示状態（画面構成や画面レイアウト、及び表示している番組情報等）を表示状態記憶部３１に記憶する（Ｓ１０３）。それ以降の処理は、既に上で説明したＳ１０８からＳ１１５までの処理と同じとなる。
【００４２】
ここで、Ｓ１０２でマルチ画面での表示が行われていないと判断された場合には、表示画面構成を維持したまま、緊急情報の検出されたデジタル放送処理部内の背景情報記憶部１０８に対し受信した緊急情報の内容を設定し（Ｓ１１６）、その後受信した緊急情報の表示が完了したかどうかを判断し（Ｓ１１７）、受信した緊急情報の表示が全て完了したことにより処理を終了することとなる。
音声に関し本例では、番組の視聴中に他の番組で緊急放送が検出され、それまで視聴していた番組以外に緊急放送が検出された番組が表示されたとしても、音声情報はそのまま、それまで視聴していた番組に対応したものが出力され続けるものとする。
【００４３】
以上に説明した処理により生成される表示画面の一例を図５及び図６に示す。
【００４４】
図５では、（１）で示しているように、シングル画面で１つの番組を視聴している時に、他の番組で緊急放送が検出された時の様子を示している。このようなケースでは、図４で示したＳ１０１，Ｓ１０４〜Ｓ１０６，Ｓ１０８〜Ｓ１１５の流れで処理が行われることとなる。Ｓ１０８では、画面構成が現在表示している画面と緊急情報が行われた番組を表示する画面の２画面構成となるため、２画面表示に対応するレイアウト情報を表示形態記憶部３０から読み出すこととなる。Ｓ１０９では、表示形態記憶部３０から読み出されたレイアウト情報に従い、緊急情報が行われた番組を大きく表示する領域に、現在表示している画面を小さく表示する領域に表示するように該当するデジタル放送処理部内の解像度変換処理部１０９及び映像信号合成処理部１８に対して設定を行い、またＳ１１０で、緊急情報を受信したことを示す表示としてここでは「緊急情報を受信しました」という表示を行うように、映像信号合成処理部１８に対して設定を行う。これにより表示画面には図５の（２）で示したように、視聴している番組と緊急情報が行われた番組の表示が同時に行われることとなり、視聴者は「緊急情報を受信しました」という表示を見ることにより、自動的に画面構成の変化した理由を知ることができる。その後Ｓ１１２で受信した緊急情報の表示が完了したことを検出すると、Ｓ１１３からＳ１１５の処理にて、図５の（３）で示したように元の表示画面に自動的に戻ることとなる。
【００４５】
図６では、（１）で示しているように、マルチ画面でデジタル放送処理部１０，１１，１２，１３から出力される全ての映像情報を４画面ともに対等の大きさで視聴している時に、親画面として表示している番組で緊急放送が検出された時の様子を示している。このようなケースでは、図４で示したＳ１０１〜Ｓ１０３，Ｓ１０８〜Ｓ１１５の流れで処理が行われることとなる。Ｓ１０８では、現在表示している画面数が本例において最大とする４画面が既に表示されているため、４画面表示に対応するレイアウト情報を表示形態記憶部３０から読み出すこととなる。Ｓ１０９では表示形態記憶部３０から読み出されたレイアウト情報に従い、緊急情報が行われた番組を大きく表示する領域に、その他の番組を小さく表示する領域に表示するように該当するデジタル放送処理部内の解像度変換処理部１０９及び映像信号合成処理部１８に対して設定を行い、Ｓ１１０で緊急情報を受信したことを示す表示として、ここでは「緊急情報を受信しました」という表示を行うように、映像信号合成処理部１８に対して設定を行う。これにより表示画面には図６の（２）で示したように、それまで視聴していた番組と緊急情報が行われた番組の表示が同時に行われることとなり、視聴者は「緊急情報を受信しました」という表示を見ることにより、自動的に画面構成の変化した理由を知ることができる。その後Ｓ１１２で受信した緊急情報の表示が完了したことを検出すると、Ｓ１１３からＳ１１５の処理にて、図６の（３）で示したように元の表示画面に自動的に戻ることとなる。
【００４６】
ここで音声情報に関しては、上述したそれまで視聴していた番組に対応したものが出力され続けるため、視聴者はそれまで視聴していた番組を中断することなく緊急情報の内容を知ることのできることとなる。
【００４７】
本例では、親画面として表示している番組で緊急放送が検出された時の様子について説明を行ったが、他の子画面にて表示している番組で緊急放送が検出された場合にも同様の処理が行われることとなる。
【００４８】
また、４画面で表示しているいずれの番組でもない他の番組で緊急放送が検出された場合には、図５で示したＳ１０１，Ｓ１０４〜Ｓ１０５，Ｓ１０７〜Ｓ１１５の流れで処理が行われることとなり、Ｓ１０７で、子画面として表示している中で最も優先順位の低いデジタル放送処理部に対し、緊急情報の行われた番組に関する映像情報を出力するようにチャンネルの設定が行われ、以下同様の処理が行われることとなる。
【００４９】
また図６では、マルチ画面でデジタル放送処理部１０，１１，１２，１３から出力される全ての映像情報を４画面ともに対等の大きさで視聴している場合としているが、親画面が大きく、他の子画面が小さく表示されているような場合にも、図６で行った説明と同様の処理が行われることとなる。
【００５０】
以上説明した構成によれば、放送受信装置が、視聴している番組以外での番組に於いて緊急情報を受信した際に、視聴している番組と緊急情報の放送された番組とを同時に表示することにより、視聴している番組を中断することなく緊急情報の内容を知ることが可能となる。
【００５１】
また、マルチ画面表示により複数の番組を同時に視聴しているような際に、視聴している番組の中で緊急情報を受信した場合に、緊急情報の放送された番組を補助的に小さく表示している場合に於いても、予め決められている画面のレイアウト情報に従い、画面の表示形態を緊急情報の放送された番組を他の番組よりも大きく表示するように変えることにより、緊急情報の内容を容易に判読することが可能となる。
【００５２】
本例では、同時に処理できる放送波の数が４入力の時での実施例を図１において示したが、その他の入力数の時でも同様の処理が行われることとなり、本実施例と何ら異なるものではない。
【００５３】
（第２実施例）
第１実施例では、番組を視聴中に緊急情報があった場合に、予め決められた画面のレイアウト情報に従い画面の表示形態を変えることにより、視聴している番組と緊急情報が行われた番組とを同時に見ることが可能となり、尚且つ緊急情報の内容を容易に判読することが可能となる手段について説明を行った。
【００５４】
本例では、マルチ画面表示により複数の番組を同時に視聴しているような際に、視聴している番組の中で緊急情報を受信した場合に、最大に表示している番組の表示位置を判断し、最大に表示している番組の表示位置と緊急情報を受信した番組の表示位置とを入れ替えることにより、予め決められた画面のレイアウト情報は用意しておくことなく、単純な処理で緊急情報の内容を容易に判読することを可能とする手段について説明を行う。
【００５５】
図７は、本実施例での放送受信装置の構成を示したブロック図である。
【００５６】
図７では、図１で示した第１実施例に於ける放送受信装置の構成に対して、表示形態記憶部３０及び表示状態記憶部３１が省かれている。即ち本例では、特定情報検出部２９にて、デジタル放送処理部１０，１１，１２，１３から出力されるいずれかのデータ情報に緊急情報が含まれることが検出された場合に、ＣＰＵ１４では、予め決められた画面のレイアウト情報を用いずに表示形態を変える処理を行う。
【００５７】
以上の構成に於いて、特定情報検出部２９にてデジタル放送処理部１０，１１，１２，１３から出力されるいずれかのデータ情報に緊急情報が含まれることを検出した場合の、ＣＰＵ１４における処理の流れを、図８のフローチャートに示す。
【００５８】
まずＣＰＵ１４は、コード情報検出部２３からの緊急情報を検知したことを示す信号を受信すると、特定情報検出部２９から出力される番組情報から現在表示している番組で緊急情報が行われたのかどうかを判断し（Ｓ２０１）、現在表示している番組で緊急情報が行われたと判断された場合、映像信号合成処理部１８に対しマルチ画面での表示を指示しているかどうかを判断し（Ｓ２０２）、マルチ画面での表示が行われていると判断した場合、映像信号合成処理部１８に対して設定している各画面の表示サイズから一番大きく表示している画面を検出し、その画面の表示位置情報を取得する（Ｓ２０３）。次に、Ｓ２０３で得られた一番大きく表示している画面の表示位置情報が、緊急情報の行われた画面の表示位置と同じであるかどうかを判断し（Ｓ２０４）、同じでない場合には、緊急情報の行われた画面の表示位置と一番大きく表示している画面の表示位置とを入れ替えるよう、該当するデジタル放送処理部内の解像度変換処理部１０９及び映像信号合成処理部１８に対して設定する（Ｓ２０７）。次に、映像信号合成処理部１８に対し、各系統のデジタル放送波から得られる映像情報を合成して表示する際の背景に、緊急情報を受信したことを示す表示を行うように背景情報を設定し（Ｓ２０８）、緊急情報の検出されたデジタル放送処理部内の背景情報記憶部１０８に対し、受信した緊急情報の内容を設定する（Ｓ２０９）。その後、受信した緊急情報の表示が完了したかどうかを判断し（Ｓ２１０）、完了していない場合には再びＳ２０９に戻り、受信した緊急情報の表示を継続する。緊急情報の表示が全て完了した場合には、Ｓ２０４にて入れ替えた表示位置を元に戻すよう、該当するデジタル放送処理部内の解像度変換処理部１０９及び映像信号合成処理部１８に対して設定し（Ｓ２１１）、映像信号合成処理部１８に対し、各系統のデジタル放送波から得られる映像情報を合成して表示する際の背景に設定していた、緊急情報を受信したことを示す表示を消去するように背景情報を設定する（Ｓ２１２）。
【００５９】
Ｓ２０１で現在表示していない番組で緊急情報が行われたと判断された場合には、上述した処理を実行せず、そのままの表示画面構成を維持するものとする。また、Ｓ２０２でマルチ画面での表示が行われていないと判断された場合、或いはＳ２０４で緊急情報の行われた画面の表示が一番大きく表示している画面の表示上で行われていると判断された場合には、表示画面構成を維持したまま、緊急情報の検出されたデジタル放送処理部内の背景情報記憶部１０８に対し受信した緊急情報の内容を設定し（Ｓ２０５）、その後受信した緊急情報の表示が完了したかどうかを判断し（Ｓ２０６）、受信した緊急情報の表示が全て完了したことで処理は終了することとなる。
【００６０】
また、音声に関し本例では、マルチ画面での表示が行われている時にその子画面に表示している系列のデジタル放送波に緊急放送が検出され、メインとして視聴している親画面の表示サイズ及び表示位置が、緊急放送の受信した子画面に表示されていた情報と入れ替えられたとしても、音声情報は切り替えずに、そのままメインとして視聴している親画面に対応したものが出力され続けるものとする。
【００６１】
以上に説明した処理により生成される表示画面の一例を図９に示す。図９では（１）で示しているように、マルチ画面でデジタル放送処理部１０，１１，１２，１３から出力される全ての映像情報が、１画面は親画面として大きく表示され、残り３画面は子画面として小さく表示されており、子画面３として表示している番組で緊急放送が検出された時の様子を示している。特定情報検出部２３に於いて、子画面３で表示している系統のデジタル放送波のデータ情報に緊急放送が検出されると、ＣＰＵ１４では図８で示したＳ２０１〜Ｓ２０４，Ｓ２０７〜Ｓ２１２の流れで処理が行われることとなり、親画面と子画面３の表示位置を入れ替えて表示すると共に、子画面３の表示画面上に緊急情報の内容を表示する。ここで本例ではＳ２０８での処理に於いて、表示画面上の映像情報を表示している以外の領域に、緊急情報を受信したことを示す表示として「緊急情報を受信しました」という文字を表示し、緊急情報を受信したことにより表示画面の構成が変更されていることを視聴者に対して明示している。これにより表示画面には図９の（２）で示したように、それまでメインとして視聴していた番組と緊急情報が行われた番組とが入れ替えられて表示されることとなり、視聴者は「緊急情報を受信しました」という表示を見ることにより、自動的に画面構成の変化した理由を知ることができる。その後Ｓ２１０で受信した緊急情報の表示が完了したことを検出すると、Ｓ２１１とＳ２１２の処理にて、図９の（３）で示したように元の表示画面に自動的に戻ることとなる。
【００６２】
ここで音声情報に関しては、上述した通り親画面に対応したものが出力され続けるため、視聴者は視聴している番組を中断することなく緊急情報の内容を知ることのできることとなる。
【００６３】
図９では（１）で示しているように、マルチ画面でデジタル放送処理部１０，１１，１２，１３から出力される全ての映像情報が、１画面は親画面として大きく表示され、残り３画面は子画面として小さく表示されているものとしたが、図６の（１）で示しているように、マルチ画面でデジタル放送処理部１０，１１，１２，１３から出力される全ての映像情報が４画面ともに対等の大きさで表示されている場合には、本例では表示状態は変更されることなく、そのままの表示位置及び表示サイズで子画面３の表示画面上に緊急情報の内容が表示されることとなる。ここでもし、図６の（１）で示しているように、マルチ画面でデジタル放送処理部１０，１１，１２，１３から出力される全ての映像情報を４画面ともに対等の大きさで視聴している場合に於いても、緊急情報の内容を大きく表示したいという場合には、第１実施例で示した手段を併用することにより、緊急情報の表示する番組を他の番組よりも大きく表示することも可能である。
【００６４】
また本例では、緊急情報が行われた番組が既に表示されている場合に於いて、その内容を大きく表示することで緊急情報の視認性を高めようというものであり、もしここで緊急情報が行われた番組が表示されていない場合に於いてもその内容を表示したいという場合には、このようなケースにおいても第１実施例で示した手段を併用することにより実現することが可能である。
【００６５】
以上説明した構成によれば、マルチ画面表示により複数の番組を同時に視聴しているような際に、視聴している番組の中で緊急情報を受信した場合に、緊急情報の放送された番組を補助的に小さく表示している場合に於いても、最大に表示している番組の表示位置を判断し、最大に表示している番組の表示位置と緊急情報を受信した番組の表示位置とを入れ替えることにより、緊急情報の内容を容易に判読することが可能となる。
【００６６】
本例では、マルチ画面での表示画面数が４画面の時での具体例を図９において示したが、その他の画面数の時でも同様の処理が行われることとなり、本実施例と何ら異なるものではない。また、同時に処理できる放送波の数も、図７での実施例で示した４入力に限ったものではない。
【００６７】
（第３実施例）
第１実施例及び第２実施例では、特定情報検知部２９で検出される特定情報を地震情報や台風情報のような緊急情報とし、更に第１実施例では、番組を視聴中に緊急情報があった場合に、予め決められた画面のレイアウト情報に従い画面の表示形態を変えることにより、視聴している番組と緊急情報が行われた番組とを同時に見ることが可能となり、尚且つ緊急情報の内容を容易に判読することが可能となる手段について説明を行った。また第２実施例では、マルチ画面表示による視聴を行っている際に、表示している番組で緊急情報があった場合に、最大に表示している番組の表示位置を判断し、最大に表示している番組の表示位置と緊急情報を受信した番組の表示位置とを入れ替えることにより、予め決められた画面のレイアウト情報は用意しておくことなく、単純な処理で緊急情報の内容を容易に判読することを可能とする手段について説明を行った。
【００６８】
本例では、特定情報検知部２９で検出される特定情報を視聴者が任意に設定できる手段について説明を行う。即ち、視聴者にとってみれば、地震情報や台風情報のような緊急情報は、視聴者に共通してすぐにでも知りたい情報であるかも知れない。しかし、どうしても視聴したいような番組や見逃したくないような番組も、視聴者にとってみれば重要な情報である。このように視聴者毎に異なる情報でも、第１実施例或いは第２実施例で示した手段を多少変更することにより、見逃さないで視聴できるようにすることが可能となる。そこで本例では、視聴者が予め視聴したい番組を登録（視聴予約）することにより、番組を視聴中に視聴予約した番組が開始された場合に、予め決められた画面のレイアウト情報に従い画面の表示形態をマルチ画面表示に変えることにより、視聴していた番組と視聴予約していた番組とを同時に見ることが可能となる手段について説明を行う。
【００６９】
図１０は、本実施例での放送受信装置の構成を示したブロック図である。
【００７０】
図１０では、図１で示した第１実施例に於ける放送受信装置の構成に対して、特定情報検知部２９がＣＰＵ１４から設定できるようになっている。即ちＣＰＵ１４は、リモコン１６を介して視聴者により設定された特定情報の定義を、特に図示はしないが、特定情報検知部２９の有する記憶部に設定し、特定情報検知部２９では、予め設定されている緊急情報に関する特定情報以外に、視聴者により設定された特定情報がデジタル放送処理部１０，１１，１２，１３のいずれかから出力されるデータ情報に含まれているかどうかを検出し、特定情報を検出したことを示す信号と共に、どの系列のどの番組で特定情報が検出されたのかを示す番組情報を、ＣＰＵ１４に対して出力する。
【００７１】
ここで、視聴者がリモコン１６を介して視聴予約を行う際の表示画面の一例を、図１１に示す。図１１では、ひとつの番組に関する情報が表示されており、この番組に関し視聴予約を行うかどうかを“ＯＫ”ボタン或いは“キャンセル”ボタンで選択できるようになっており、視聴者はリモコン１６を介して視聴予約を行うかどうかを決定できるものとしている。このような番組情報の表示は、既に述べたように、デジタル放送では番組に関するチャンネル名やタイトル、更に番組の内容や開始時間、終了時間、継続時間等の情報がデータ放送に含まれる番組配列情報から容易に知ることができるため、ＣＰＵ１４は視聴者からリモコン１６を介して視聴予約を行うための画面表示の指示を受けた際に、デジタル放送処理部１０，１１，１２，１３のいずれかから出力されるデータ情報に含まれる番組配列情報から番組に関連する情報を抽出し、背景情報として映像信号合成処理部１８に対して設定することで可能となる。また、視聴予約を行う手段としては、他にもＥＰＧを用いたものなど多々考えられ、本例に限ったものではない。
【００７２】
このような視聴予約の為の画面上で視聴予約を行うとされた番組に関する情報が、ＣＰＵ１４により特定情報検知部２９に対して設定されることとなる。
【００７３】
以上の構成に於いて、特定情報検出部２９にてデジタル放送処理部１０，１１，１２，１３から出力されるいずれかのデータ情報に視聴予約された番組情報が含まれることを検出した場合の、ＣＰＵ１４における処理の流れを、図１２のフローチャートに示す。
【００７４】
大筋の流れは、図４に示した第１実施例でのＣＰＵ１４における処理の流れと同じとなる。図４との違いとしては、受信した緊急情報を表示するための処理となるか視聴予約された番組を表示するための処理となるかの違いであり、図１２では、緊急情報を表示するための処理がなくなり、本処理が実行されていることを示す表示も異なる。即ち、ＣＰＵ１４が特定情報検出部２９からの視聴予約された番組が放送開始されたことを検知したことを示す信号を受信すると、まず、特定情報検出部２９から出力される番組情報から視聴予約された番組が表示されているかどうかを判断し（Ｓ３０１）、視聴予約された番組とは別の番組を表示している場合、一旦その時点での表示状態（画面構成や画面レイアウト、及び表示している番組情報等）を表示状態記憶部３１に記憶し（Ｓ３０４）、次にデジタル放送処理部１０，１１，１２，１３から出力される映像情報が全て表示されているかどうかを判断し（Ｓ３０５）、全て表示されていない場合には映像情報の表示に用いられていないデジタル放送処理部に対し、視聴予約された番組に関する映像情報を出力するようにチャンネルの設定を行う（Ｓ３０６）。Ｓ３０５でデジタル放送処理部１０，１１，１２，１３から出力される映像情報が全て表示されていると判断された場合、親画面として表示している以外の最も優先順位の低いデジタル放送処理部に対し、視聴予約された番組に関する映像情報を出力するようにチャンネルの設定を行う（Ｓ３０７）。ここで、子画面に対する優先順位の設定に関しては特に制約は無い。次に、表示形態記憶部３０から表示を行う画面数に応じたレイアウト情報を読み出し（Ｓ３０８）、読み出したレイアウト情報に従い該当するデジタル放送処理部内の解像度変換処理部１０９及び映像信号合成処理部１８に対して設定を行う（Ｓ３０９）。次に映像信号合成処理部１８に対し、各系統のデジタル放送波から得られる映像情報を合成して表示する際の背景に、視聴予約された番組を受信したことを示す表示を行うように背景情報を設定する（Ｓ３１０）。その後、視聴予約された番組が完了したかどうかを判断し（Ｓ３１１）、完了していない場合には視聴予約された番組の表示を継続する。視聴予約された番組が完了した場合には、表示状態記憶部３１に記憶した表示状態を読み出し（Ｓ３１２）、読み出された情報に従い該当するデジタル放送処理部内の解像度変換処理部１０９及び映像信号合成処理部１８に対して設定を行う（Ｓ３１３）。更に、各系統のデジタル放送波から得られる映像情報を合成して表示する際の背景に設定していた、視聴予約された番組を受信したことを示す表示を消去するように背景情報を設定する（Ｓ３１４）。以上の処理により、表示内容を、視聴予約された番組の表示を行う前の表示状態に戻すことができ、視聴予約された番組を受信したことによる処理を終了する。
【００７５】
Ｓ３０１で、視聴予約された番組を既に表示していると判断された場合、次に映像信号合成処理部１８に対しマルチ画面での表示を指示しているかどうかを判断し（Ｓ３０２）、マルチ画面での表示が行われている場合、一旦その時点での表示状態（画面構成や画面レイアウト、及び表示している番組情報等）を表示状態記憶部３１に記憶する（Ｓ３０３）。それ以降の処理は、既に上で説明したＳ３０８からＳ３１４までの処理と同じとなる。
【００７６】
ここで、Ｓ３０２でマルチ画面での表示が行われていないと判断された場合には、表示画面構成を維持したまま処理を終了することとなる。
【００７７】
また音声に関し本例では、第１実施例の時と同様に番組の視聴中に視聴予約された番組に関する情報が検出され、それまで視聴していた番組以外に視聴予約された番組が表示されたとしても、音声情報はそのまま、それまで視聴していた番組に対応したものが出力され続けるものとしているが、視聴予約された番組を表示する際に音声情報を視聴予約された番組のものに切り替えるように音声選択部１５に設定する処理を追加し、視聴予約された番組に関する音声を出力するとすることもできる。その際、Ｓ３１３で元の表示状態に戻す際に、音声に関しても元の状態に戻すように音声選択部１５に設定する処理が追加される。
【００７８】
以上に説明した処理により生成される表示画面の一例を、図１３に示す。
【００７９】
図１３では、第１実施例での表示画面の一例として示した図５と同様に、シングル画面で１つの番組を視聴している時に、他の番組で視聴予約された番組が検出された時の様子を示している。このようなケースでは、図１２で示したＳ３０１，Ｓ３０４〜Ｓ３０６，Ｓ３０８〜Ｓ３１４の流れで処理が行われることとなる。Ｓ３０８では、画面構成が現在表示している画面と視聴予約された番組を表示する画面の２画面構成となるため、２画面表示に対応するレイアウト情報を表示形態記憶部３０から読み出すこととなる。Ｓ３０９では表示形態記憶部３０から読み出されたレイアウト情報に従い、視聴予約された番組を大きく表示する領域に、現在表示している画面を小さく表示する領域に表示するように該当するデジタル放送処理部内の解像度変換処理部１０９及び映像信号合成処理部１８に対して設定を行い、Ｓ３１０で視聴予約された番組を受信したことを示す表示として、ここでは「予約番組が開始しました」という表示を行うように、映像信号合成処理部１８に対して設定を行う。これにより表示画面には図１３の（２）で示したように、視聴している番組と緊急情報が行われた番組の表示が同時に行われることとなり、視聴者は「予約番組が開始しました」という表示を見ることにより、自動的に画面構成の変化した理由を知ることができる。その後Ｓ３１１で受信した緊急情報の表示が完了したことを検出すると、Ｓ３１２からＳ３１４の処理にて、図１３の（３）で示したように元の表示画面に自動的に戻ることとなる。ここで、視聴予約した番組よりも今まで視聴していた番組を視聴し続けたいという場合、或いは視聴予約した番組だけを見たいという場合には、任意の時点で視聴者によりリモコン１６を介して指示が行われ、Ｓ３１６にて指示された処理へと処理が移ることとなる。
【００８０】
ここでは、シングル画面で１つの番組を視聴している時に、他の番組で視聴予約された番組が検出された時の表示画面の一例を示したが、第１実施例での図６で示したように、マルチ画面でデジタル放送処理部１０，１１，１２，１３から出力される全ての映像情報を４画面ともに対等の大きさで視聴している時、或いは親画面が大きく、他の子画面が小さく表示されているような時に視聴予約された番組を受信した時も、第１実施例で説明した処理と同様の流れで処理が行われることとなる。
【００８１】
以上に説明した構成によれば、放送受信装置が、視聴している番組以外で視聴予約された番組を受信した際に、視聴している番組と視聴予約された番組とを同時に表示することにより、視聴している番組を中断することなく視聴予約された番組の開始されたことを知ることが可能となる。
【００８２】
また、マルチ画面表示により複数の番組を同時に視聴しているような際に、視聴している番組の中で視聴予約された番組を受信した場合で、尚且つ視聴予約された番組を補助的に小さく表示している場合に於いても、予め決められている画面のレイアウト情報に従い、画面の表示形態を視聴予約された番組を他の番組よりも大きく表示するように変えることにより、視聴予約された番組の開始されたことを知ることが可能となる。
【００８３】
本例では、同時に処理できる放送波の数が４入力の時での実施例を図１０において示したが、その他の入力数の時でも同様の処理が行われることとなり、本実施例と何ら異なるものではない。
【００８４】
【発明の効果】
以上説明した通り、第１実施例で示した構成によれば、放送受信装置が、視聴している番組以外での番組に於いて緊急情報を受信した際に、視聴している番組と緊急情報の放送された番組とを同時に表示することにより、視聴している番組を中断することなく緊急情報の内容を知ることが可能となる。
【００８５】
また、マルチ画面表示により複数の番組を同時に視聴しているような際に、視聴している番組の中で緊急情報を受信した場合に、緊急情報の放送された番組を補助的に小さく表示している場合に於いても、予め決められている画面のレイアウト情報に従い、画面の表示形態を緊急情報の放送された番組を他の番組よりも大きく表示するように変えることにより、緊急情報の内容を容易に判読することが可能となる。
【００８６】
更に第２実施例で示した構成によれば、マルチ画面表示により複数の番組を同時に視聴しているような際に、視聴している番組の中で緊急情報を受信した場合に、緊急情報の放送された番組を補助的に小さく表示している場合に於いても、最大に表示している番組の表示位置を判断し、最大に表示している番組の表示位置と緊急情報を受信した番組の表示位置とを入れ替えることにより、緊急情報の内容を容易に判読することが可能となる。
【００８７】
更に第３実施例で示した構成によれば、第１実施例或いは第２実施例で示した手段に於いて更に、緊急情報以外の特定情報の定義を視聴者が任意に設定できる手段を設けることにより、番組の視聴予約のような視聴者毎に異なる重要な情報に対しても、第１実施例或いは第２実施例で得られる効果と同様な効果を得ることが可能となり、重要な情報を見逃さないようにすることが可能となる。
【図面の簡単な説明】
【図１】本発明の第１実施例における放送受信装置の構成を示したブロック図。
【図２】本発明の実施例におけるデジタル放送処理部の構成を示したブロック図。
【図３】本発明の実施例における透過的合成処理部において、映像情報と背景情報とが透過的に合成される様子を示す模式図。
【図４】本発明の第１実施例において，緊急情報を受信した際のＣＰＵにおける処理の様子を示すフローチャート。
【図５】本発明の第１実施例における表示画面の一例を示す模式図。
【図６】本発明の第１実施例における表示画面の一例を示す模式図。
【図７】本発明の第２実施例における放送受信装置の構成を示したブロック図。
【図８】本発明の第２実施例において，緊急情報を受信した際のＣＰＵにおける処理の様子を示すフローチャート。
【図９】本発明の第２実施例における表示画面の一例を示す模式図。
【図１０】本発明の第３実施例における放送受信装置の構成を示したブロック図。
【図１１】本発明の第３実施例において，視聴予約設定メニューの表示画面の一例を示す模式図。
【図１２】本発明の第３実施例において，視聴予約番組を受信した際のＣＰＵにおける処理の様子を示すフローチャート。
【図１３】本発明の第３実施例における表示画面の一例を示す模式図。
【図１４】従来のマルチ画面表示において，緊急情報を受信した際の表示画面の一例を示す模式図。
【符号の説明】
１０，１１，１２，１３  デジタル放送処理部
１４  ＣＰＵ
１５  音声選択部
１６，１９  Ｄ／Ａ変換器
１７  スピーカ
１８  映像信号合成処理部
２０  表示装置
２１  同期信号生成部
２２  グラフィックコントローラ
２３  Ｉ／Ｏコントローラ
２４  モデム
２５  赤外線受光部
２６  リモコン
２７  ＲＯＭ
２８  ＲＡＭ
２９  コード情報検知部
３０  レイアウト情報記憶部
３１  一時レイアウト情報記憶部
１０１  復調部
１０２  誤り訂正部
１０３  多重分離部
１０４  音声復号化部
１０５  データ復号化部
１０６  映像復号化部
１０７  透過的合成処理部
１０８  背景情報記憶部
１０９  解像度変換処理部
【図１】
2004336411.tif 000003
【図２】
2004336411.tif 000004
【図３】
2004336411.tif 000005
【図４】
2004336411.tif 000006
【図５】
2004336411.tif 000007
【図６】
2004336411.tif 000008
【図７】
2004336411.tif 000009
【図８】
2004336411.tif 000010
【図９】
2004336411.tif 000011
【図１０】
2004336411.tif 000012
【図１１】
2004336411.tif 000013
【図１２】
2004336411.tif 000014
【図１３】
2004336411.tif 000015
【図１４】
2004336411.tif 000016